(57)【特許請求の範囲】
【請求項１】
１枚の壁掛け板に、商品を収納できるようにしたトレイを、１段又は複数段設けた紙製デイスプレイにおいて、前記トレイが、壁掛け板に貼着した外側板と、前記外側板に山折返線を介して折り返し重ねて貼着した内側板と、前記外側板に、それぞれ山折線を介して連設した１対の縁取板及び１個又は複数個の仕切板と、前記内側板に谷折線を介して連設した底面板と、前記縁取板、前記仕切板及び前記底面板に、それぞれ山折線を介して連設した前側板と、前記外側板に、それぞれ山折線を介して連設した１対の谷折返線付き折込片であって、前記谷折返線を介して折り返し、前記外側板に重ねて貼着されたものと、前記折込片及び前記縁取板に、それぞれ山折線を介して連設した谷折込線付き左側板及び右側板と、前記左側板及び右側板に、それぞれ山折線を介して連設し前記前側板両側に貼着した１対の糊付片とからなり、前記内側板に前記底面板を重ねるように折り曲げ、前記底面板に前記前側板を重ねるように折り曲げ、前記左側板及び前記右側板を谷折込線を介して折り重ねて、前記トレイを前記壁掛け板の両側からはみ出ないように、折り畳み可能に取りつけたことを特徴とする紙製デイスプレイ。
【請求項２】
トレイが、両側下端から山折込線を設けた外側板と、前記外側板に山折返線を介して折り返し重ねた内側板と、前記外側板に、それぞれ山折線を介して連設した１対の縁取板及び１個又は複数個の仕切板と、前記内側板に谷折線を介して連設した底面板と、前記縁取板、前記仕切板及び前記底面板に、それぞれ山折線を介して連設すると共に、山折返線を介して折り返して前記底面板に重ねた前側板と、前記縁取板に、それぞれ山折線を介して連設した谷折込線付き左側板及び右側板と、前記左側板及び右側板と前記外側板両側とを貼着した１対の糊付片と、前記左側板及び右側板と前記前側板両側とを貼着した１対の糊付片とからなり、前記内側板に前記底面板を重ねるように折り曲げ、前記左側板及び前記右側板を谷折込線を介して折り重ねると共に、前記外側板の両端部を山折込線を介して折り重ねて、前記トレイを、折り畳み可能にしたことを特徴とする紙製デイスプレイ。
【発明の詳細な説明】
【０００１】
【発明の属する技術分野】
本発明は、１枚の壁掛け板に、商品を収納できるようにしたトレイを、１段又は複数段設けた紙製デイスプレイ、並びに、トレイをそれ自体単独に使用できるようにした紙製デイスプレイに関する。
【０００２】
【従来の技術】
従来、特開平９−３０９５７３号公報に示すように、壁掛け板にトレイを１段又は複数段貼りつけた紙製デイスプレイは、トレイを折り畳むときは、壁掛け板の両側からはみ出るために、運搬や保管の際に不便である、折り畳んだトレイの両側が傷みやすい、箱詰の場合には、壁掛け板の両側からはみ出た分だけ箱面積を大きくする必要がある、組立に時間がかかるなどの欠点があった。
また、この種のトレイをそれ自体単独に使用できるようにした紙製デイスプレイも商品展示用として要望されていた。
【０００３】
【発明が解決しようとする課題】
本発明は、壁掛け板に貼着されたトレイを折り畳んでも壁掛け板の両側からはみ出ることがなく、使用時にはワンタッチで組み立てでき、運搬、保管、箱詰及び商品展示に便利な紙製デイスプレイを提供するものである。
また、本発明は、壁掛け以外に、商品を展示する必要がある場合は任意の場所に置くことができる紙製デイスプレイを提供するものである。
【０００４】
【課題を解決するための手段】
本発明紙製デイスプレイは、上記課題を達成するため、図示するように、１枚の壁掛け板２０に、商品を収納できるようにしたトレイ１０を、１段又は複数段設けた紙製デイスプレイにおいて、前記トレイ１０が、壁掛け板２０に貼着した外側板１１と、前記外側板１１に山折返線１２０、１２０を介して折り返し重ねて貼着した内側板１２、１２と、前記外側板１１に、それぞれ山折線１３０、１３０、１４０を介して連設した１対の縁取板１３、１３及び１個又は複数個の仕切板１４と、前記内側板１２、１２に谷折線１５０、１５０を介して連設した底面板１５、１５と、前記縁取板１３、１３、前記仕切板１４及び前記底面板１５、１５に、それぞれ山折線１６１、１６１、１６２、１６３、１６３を介して連設した前側板１６と、前記外側板１１に、それぞれ山折線１７０、１７０を介して連設した１対の谷折返線１７１、１７１付き折込片１７、１７であって、前記谷折返線１７１、１７１を介して折り返し、前記外側板１１に重ねて貼着されたものと、前記折込片１７、１７及び前記縁取板１３、１３に、それぞれ山折線１８０、１８０、１８１、１８１を介して連設した谷折込線１８２付き左側板及び右側板１８、１８と、前記左側板及び右側板１８、１８に、それぞれ山折線１９０、１９０を介して連設し前記前側板１６両側裏面に貼着した１対の糊付片１９、１９とからなり、前記内側板１２、１２に前記底面板１５、１５を重ねるように折り曲げ、前記底面板１５、１５に前記前側板１６を重ねるように折り曲げ、前記左側板及び前記右側板１８、１８を谷折込線１８２、１８２を介して折り重ねて、前記トレイ１０を前記壁掛け板２０の両側からはみ出ないように、折り畳み可能に取りつけたものである。
また、本発明紙製デイスプレイは、上記課題を達成するため、図示するように、トレイ１０Ｂが、両側下端から山折込線１１１Ｂ、１１１Ｂを設けた外側板１１Ｂと、前記外側板１１Ｂに山折返線１２０Ｂ、１２０Ｂを介して折り返し重ねた内側板１２Ｂ、１２Ｂと、前記外側板１１Ｂに、それぞれ山折線１３０Ｂ、１３０Ｂ、１４０Ｂを介して連設した１対の縁取板１３Ｂ、１３Ｂ及び１個又は複数個の仕切板１４Ｂと、前記内側板１２Ｂ、１２Ｂに谷折線１５０Ｂ、１５０Ｂを介して連設した底面板１５Ｂ、１５Ｂと、前記縁取板１３Ｂ、１３Ｂ、前記仕切板１４Ｂ及び前記底面板１５Ｂ、１５Ｂに、それぞれ山折線１６１Ｂ、１６１Ｂ、１６２Ｂ、１６３Ｂ、１６３Ｂを介して連設すると共に、山折返線１６３Ｂ、１６４Ｂ、１６４Ｂ、１６５Ｂを介して折り返して前記底面板１５Ｂ、１５Ｂに重ねた前側板１６Ｂと、前記縁取板１３Ｂ、１３Ｂに、それぞれ山折線１８１Ｂ、１８１Ｂを介して連設した谷折込線１８２Ｂ付き左側板及び右側板１８Ｂ、１８Ｂと、前記左側板及び右側板１８Ｂ、１８Ｂと前記外側板１１Ｂ両側とを貼着した１対の糊付片１７Ｂ、１７Ｂと、前記左側板及び右側板１８Ｂ、１８Ｂと前記前側板１６Ｂ両端とを貼着した１対の糊付片１９Ｂ、１９Ｂとからなり、前記内側板１２Ｂ、１２Ｂに前記底面板１５Ｂ、１５Ｂを重ねるように折り曲げ、前記左側板及び前記右側板１８Ｂ、１８Ｂを谷折込線１８２Ｂ、１８２Ｂを介して折り重ねると共に、前記外側板１１Ｂの両端部を山折込線１１１Ｂ、１１１Ｂを介して折り重ねて、前記トレイ１０Ｂを、折り畳み可能にしたものである。
【０００５】
【発明の実施の形態１】
本発明の実施の形態１が図１乃至図４に示されている。
本実施例は、３個のトレイ１０と１枚の壁掛け板２０とからなる。
トレイ１０は、図１に示すように、１個の外側板１１と、２個の内側板１２と、１対の縁取板１３と、１個の仕切板１４と、２個の底面板１５と、１個の前面板１６と、１対の折込片１７と、左側板及び右側板１８、１８と、１対の糊付片１９を備えている。
外側板１１は、その表面を壁掛け板２０に１段又は複数段になるように貼着される。
内側板１２は、山折返線１２０を介して折り返し、外側板１１の裏面に、その裏面を重ねるように貼着される。
縁取板１３及び仕切板１４は、外側板１１に山折線１３０及び１４０を介して連設される。
底面板１５は、内側板１２に谷折線１５０を介して連設される。
前側板１６は、縁取板１３、仕切板１４及び底面板１５に、それぞれ山折線１６１、１６２及び１６３を介して連設される。
折込片１７は、外側板１１に山折線１７０を介して連設され、また、山折線１７０と山折線１３０との交点に折り曲げ易くするための小孔１７２が設けられ、小孔１７２を起点とした谷折返線１７１が設けられている。
さらに、山折線１７０と谷折返線１７１との間の部分は谷折返線１７１を介して折り返されて、外側板１１裏面に重ねて貼着される。
左側板及び右側板１８、１８は、折込片１７及び縁取板１３と山折線１８０及び１８１を介して連設されると共に、山折線１８１及び１６１の交点を起点とした谷折込線１８２、１８２を設けている。
糊付片１９は、左側板及び右側板１８、１８に山折線１９０、１９０を介して連設され、その表面は、前側板１６両側裏面に貼着される。
壁掛け板２０は、トレイ１０の折線１２０（１３０、１４０）が図２に示す３段の位置にくるように配慮されると共に、両側の折線２１、２１が裏側に折り重ねられて貼着され補強される。
従つて、運搬、保管又は商品を収納した箱に箱詰されるときは、壁掛け板２０の両側からはみ出ないように、各トレイ１０は折り畳まれて扁平な状態で格納される。すなわち、図３に示すように、外側板１１に内側板１２、底面板１５、折込片１７、前側板１６が順次重ねられるように折り畳まれると共に、縁取板１３、仕切板１４が壁掛け板２０に接し、左側板及び右側板１８、１８が、谷折込線１８２、１８２で折り曲げられて重ねられて壁掛け板２０に接する。
トレイ１０を使用するときは、前側板１６を壁掛け板２０に平行に引き起こせば、図４に示すように、壁掛け板２０に底面板１５、縁取板１３、仕切板１４、左側板及び右側板１８、１８が直ちに立設して、縁取板１３と仕切板１４との間に商品（図示しない）を収納して展示することができる。
【０００６】
【発明の実施の形態２】
本発明の実施の形態２が図５に示されている。
本実施例のトレイ１０Ｂは、図５に示すように、１個の外側板１１Ｂと、２個の内側板１２Ｂと、１対の縁取板１３Ｂと、１個の仕切板１４Ｂと、２個の底面板１５Ｂと、１個の前面板１６Ｂと、１対の糊付片１７Ｂと、左側板及び右側板１８Ｂ、１８Ｂと、１対の糊付片１９Ｂを備えている。
外側板１１Ｂは、両側下端、すなわち、折線１３０Ｂと１８１Ｂの交点を起点とした山折込線１１１Ｂ、１１１Ｂを設けている。
内側板１２Ｂは、山折返線１２０Ｂを介して折り返し、外側板１１Ｂの裏面に、その裏面を重ねるように貼着される。
縁取板１３Ｂ及び仕切板１４Ｂは、外側板１１Ｂに山折線１３０Ｂ及び１４０Ｂを介して連設される。
底面板１５Ｂは、内側板Ｂ１２に谷折線１５０Ｂを介して連設される。
前側板１６Ｂは、縁取板１３Ｂ、仕切板１４Ｂ及び底面板１５Ｂに、それぞれ山折線１６１Ｂ、１６２Ｂ、１６３Ｂを介して連設されると共に、山折返線１６３Ｂ、１６４Ｂ、１６４Ｂ、１６５Ｂを介して折り返して底面板１５Ｂ、１５Ｂに重ねて貼着される。
左側板又は右側板１８Ｂは、縁取板１３Ｂと山折線１８１Ｂを介して連設されると共に、山折線１８１Ｂ及び１６１Ｂの交点を起点とした谷折込線１８２Ｂを設けている。
糊付片１７Ｂは、左側板又は右側板１８Ｂに山折線１８０Ｂを介して連設され、外側板１１Ｂ両側に貼着される。なお、糊付片１７Ｂは、外側板１１Ｂ両側に連設されて、左側板又は右側板１８Ｂに貼着されてもよい。
糊付片１９Ｂは、左側板又は右側板１８Ｂに山折線１９０Ｂを介して連設され、前側板１６Ｂ両側に貼着される。なお、糊付片１７Ｂは、前側板１６Ｂ両側に連設されて、左側板又は右側板１８Ｂに貼着されてもよい。
従つて、トレイ１０Ｂは折り畳まれて扁平な状態で格納される。すなわち、外側板１１Ｂ、内側板１２Ｂ、底面板１５Ｂが順次重ねられるように折り畳まれ、左側板及び右側板１８Ｂ、１８Ｂが、谷折込線１８２Ｂで折り曲げられて重ねられると共に、外側板１１Ｂの両端部を山折込線１１１Ｂ、１１１Ｂを介して折り重ねて、折り畳まれる。
トレイ１０Ｂを使用するときは、外側板１１Ｂ及び内側板１２Ｂを起立させると共に、左右側板１８Ｂ、１８Ｂを起立して、縁取板１３Ｂと仕切板１４Ｂとの間に商品（図示しない）を収納して展示することができる。
【０００７】
【発明の効果】
本発明によれば、壁掛け板を使用した紙製デイスプレイは、壁掛け板の両側内にトレイを折り畳んで運搬、保管又は箱詰めができるので、比較的デリケートな構造のトレイを充分保護することができ、また、使用時には、前側板を引つ張るだけで、ワンタッチでトレイを壁掛け板に立設することができる。
また、トレイを単独使用する紙製デイスプレイは、折り畳み可能で運搬、保管又は箱詰めが便利な上に、使用時には容易に起立して壁掛け以外の任意の場所で使用でき、商品展示に極めて都合がよい。
さらに、本発明品は、いずれも１枚の紙を切り抜いて糊付けすればよく、紙代にロスが殆どない。
【図面の簡単な説明】
【図１】本発明の実施の形態を示すトレイの展開図である。
【図２】本発明の実施の形態を示す壁掛け板の展開図である。
【図３】本発明の実施の形態を示す折畳時の平面図である。
【図４】本発明の実施の形態を示す使用時の斜視図である。
【図５】本発明の別の実施の形態を示すトレイの展開図である。
【図６】図５に示すトレイの使用時の斜視図である。
【符号の説明】
１０、１０Ｂ  トレイ
１１、１１Ｂ  外側板
１２、１２Ｂ  内側板
１３、１３Ｂ  縁取板
１４、１４Ｂ  仕切板
１５、１５Ｂ  底面板
１６、１６Ｂ  前側板
１７  折込片
１７Ｂ  糊付片
１８、１８Ｂ  左側板、右側板
１９、１９Ｂ  糊付片
１３０、１４０、１６１、１６２、１６３、１８０、１８１、１９０、１３０Ｂ、１４０Ｂ、１６１Ｂ、１６２Ｂ、１８０Ｂ、１８１Ｂ、１９０Ｂ  山折線
１５０、１５０Ｂ  谷折線
１１１Ｂ  山折込線
１２０、１２０Ｂ、１６３Ｂ、１６４Ｂ、１６５Ｂ  山折返線
１８２、１８２Ｂ  谷折込線
１７１  谷折返線
２０  壁掛け板
【図１】
0004006102.tif 000002
【図２】
0004006102.tif 000003
【図３】
0004006102.tif 000004
【図４】
0004006102.tif 000005
【図５】
0004006102.tif 000006
【図６】
0004006102.tif 000007